(57)【要約】【課題】外部入力の経路切替の際にミュート処理を行う出力装置において、ミュート期間をより短くすることによって、ミュート処理時のユーザの不安感や煩わしさを緩和する。【解決手段】複数の外部装置３…のうちの一の外部装置３から入力される出力データを出力する出力装置１において、ユーザにより指定された一の外部装置３への切り替えに関する切替情報を選択記憶部１１１に記憶させるために、レジスタ１１１ａにアクセスするアクセスプログラム１５３ａを実行したＣＰＵ１５１と、記憶された切替情報に基づいて、出力装置１の外部入力の経路切替を行う切替部１１２と、アクセスが開始されてから経路切替が完了するまでの間、出力部１３による出力データの出力を禁止させるために出力制御部１２にミュート信号を入力する入力プログラム１５３ｂを実行したＣＰＵ１５１と、を備え、ユーザにより選択されたレジスタのみにアクセスするよう構成した。【選択図】図１
2008311837.tif 000002
【特許請求の範囲】
【請求項１】
複数の外部装置を接続し、当該複数の外部装置のうちの一の外部装置から入力される映像データ及び／又は音声データからなる出力データを出力する出力装置において、
前記出力データを出力手段に出力させる出力制御手段と、
前記一の外部装置をユーザが指定するための指定手段と、
前記指定手段により指定された一の外部装置への切り替えに関する切替情報を記憶手段に記憶させるために、当該記憶手段のレジスタにアクセスするアクセス手段と、
前記記憶手段に記憶された切替情報に基づいて、前記指定手段により指定された一の外部装置から前記出力データが入力されるよう当該出力装置の外部入力の経路切替を行う切替手段と、
前記アクセス手段による前記アクセスが開始されてから前記切替手段による前記経路切替が完了するまでの間、前記出力手段による出力データの出力を禁止させるために、前記出力制御手段にミュート信号を入力する入力手段と、
前記記憶手段のレジスタのうちの前記アクセス手段がアクセスするレジスタをユーザが選択するための選択手段と、を備え、
前記アクセス手段は、前記選択手段により選択されたレジスタのみにアクセスすることを特徴とする出力装置。
【請求項２】
請求項１に記載の出力装置において、
前記アクセス手段は、オートインクリメント処理により、前記レジスタにアクセスすることを特徴とする出力装置。
【請求項３】
複数の外部装置を接続し、当該複数の外部装置のうちの一の外部装置から入力される映像データ及び／又は音声データからなる出力データを出力する出力装置において、
前記複数の外部装置は、アナログ放送信号を受信して当該アナログ放送信号に基づく出力データを前記出力装置に入力するアナログ放送用チューナ装置と、デジタル放送信号を受信して当該デジタル放送信号に基づく出力データを前記出力装置に入力するデジタル放送用チューナ装置と、のうちの少なくとも何れかを含み、
前記出力データを出力手段に出力させる出力制御手段と、
前記一の外部装置をユーザが指定するための指定手段と、
前記指定手段により指定された一の外部装置への切り替えに関する切替情報を記憶手段に記憶させるために、当該記憶手段のレジスタにアクセスするアクセス手段と、
前記記憶手段に記憶された切替情報に基づいて、前記指定手段により指定された一の外部装置から前記出力データが入力されるよう当該出力装置の外部入力の経路切替を行う切替手段と、
前記アクセス手段による前記アクセスが開始されてから前記切替手段による前記経路切替が完了するまでの間、前記出力手段による出力データの出力を禁止させるために、前記出力制御手段にミュート信号を入力する入力手段と、
前記記憶手段のレジスタのうちの前記アクセス手段がアクセスするレジスタをユーザが選択するための選択手段と、を備え、
前記アクセス手段は、オートインクリメント処理により、前記選択手段により選択されたレジスタのみにアクセスすることを特徴とする出力装置。
【発明の詳細な説明】
【技術分野】
【０００１】
本発明は、出力装置に関する。
【背景技術】
【０００２】
従来、接続されたチューナ装置から入力されるテレビジョン放送信号や、接続されたＤＶＤプレイヤ等の再生装置から入力されるコンテンツを出力するテレビジョン受信機等の出力装置においては、外部入力の経路切替の際に生じる映像や音声の乱れをユーザに視聴させないために、ミュート処理を行っている。
【０００３】
外部入力の経路切替の際に行われるミュート処理の期間（ミュート期間）は、短期間とはいえ、無映像や無音声となるため、ユーザが不安感を覚えたり、煩わしく感じたりするという問題があり、ミュート期間はより短い方が望ましい。
そこで、ミュート期間をより短いものとするために、例えば、チューナ装置や再生装置を接続するセンタ装置とワイヤレスで接続され、センタ装置から受信した映像データに基づいて映像の表示を行うテレビジョン受信機において、センタ装置に外部入力の経路切替を指示した後、センタ装置からの当該指示に対する応答信号を取得してから映像データのデコードを開始するまでの期間をミュート期間とするテレビジョン受信機が提案されている（例えば、特許文献１及び２参照）。
【０００４】
ところで、通常、外部入力の経路切替の処理は一律であり、例えば、初期設定時のみに実行すべき処理等の、経路切替にかかる処理以外の処理も含まれるケースがある。したがって、外部入力の経路切替の際に行われるミュート処理は、その経路切替にかかる処理以外の処理の間も行われることになり、必然的にミュート期間が無駄に長くなってしまうという問題がある。
【特許文献１】特開２００４−３３６７３７号公報
【特許文献２】特開２００４−３３６７３３号公報
【発明の開示】
【発明が解決しようとする課題】
【０００５】
しかしながら、特許文献１及び２の技術は、ミュート期間をより短いものとするための技術であるが、外部入力の経路切替の処理が一律であるために生じる問題までは考慮されていない。
【０００６】
本発明の課題は、外部入力の経路切替の際にミュート処理を行う出力装置において、ミュート期間をより短くすることによって、ミュート処理時のユーザの不安感や煩わしさを緩和することにある。
【課題を解決するための手段】
【０００７】
上記課題を解決するために、請求項１に記載の発明は、
複数の外部装置を接続し、当該複数の外部装置のうちの一の外部装置から入力される映像データ及び／又は音声データからなる出力データを出力する出力装置において、
前記出力データを出力手段に出力させる出力制御手段と、
前記一の外部装置をユーザが指定するための指定手段と、
前記指定手段により指定された一の外部装置への切り替えに関する切替情報を記憶手段に記憶させるために、当該記憶手段のレジスタにアクセスするアクセス手段と、
前記記憶手段に記憶された切替情報に基づいて、前記指定手段により指定された一の外部装置から前記出力データが入力されるよう当該出力装置の外部入力の経路切替を行う切替手段と、
前記アクセス手段による前記アクセスが開始されてから前記切替手段による前記経路切替が完了するまでの間、前記出力手段による出力データの出力を禁止させるために、前記出力制御手段にミュート信号を入力する入力手段と、
前記記憶手段のレジスタのうちの前記アクセス手段がアクセスするレジスタをユーザが選択するための選択手段と、を備え、
前記アクセス手段は、前記選択手段により選択されたレジスタのみにアクセスすることを特徴とする。
【０００８】
請求項２に記載の発明は、
請求項１に記載の出力装置において、
前記アクセス手段は、オートインクリメント処理により、前記レジスタにアクセスすることを特徴とする。
【０００９】
請求項３に記載の発明は、
複数の外部装置を接続し、当該複数の外部装置のうちの一の外部装置から入力される映像データ及び／又は音声データからなる出力データを出力する出力装置において、
前記複数の外部装置は、アナログ放送信号を受信して当該アナログ放送信号に基づく出力データを前記出力装置に入力するアナログ放送用チューナ装置と、デジタル放送信号を受信して当該デジタル放送信号に基づく出力データを前記出力装置に入力するデジタル放送用チューナ装置と、のうちの少なくとも何れかを含み、
前記出力データを出力手段に出力させる出力制御手段と、
前記一の外部装置をユーザが指定するための指定手段と、
前記指定手段により指定された一の外部装置への切り替えに関する切替情報を記憶手段に記憶させるために、当該記憶手段のレジスタにアクセスするアクセス手段と、
前記記憶手段に記憶された切替情報に基づいて、前記指定手段により指定された一の外部装置から前記出力データが入力されるよう当該出力装置の外部入力の経路切替を行う切替手段と、
前記アクセス手段による前記アクセスが開始されてから前記切替手段による前記経路切替が完了するまでの間、前記出力手段による出力データの出力を禁止させるために、前記出力制御手段にミュート信号を入力する入力手段と、
前記記憶手段のレジスタのうちの前記アクセス手段がアクセスするレジスタをユーザが選択するための選択手段と、を備え、
前記アクセス手段は、オートインクリメント処理により、前記選択手段により選択されたレジスタのみにアクセスすることを特徴とする。
【発明の効果】
【００１０】
本発明によれば、複数の外部装置を接続し、当該複数の外部装置のうちの一の外部装置から入力される映像データ及び／又は音声データからなる出力データを出力する出力装置において、出力データを出力手段に出力させる出力制御手段と、ユーザが、一の外部装置を指定するための指定手段と、当該指定された一の外部装置への切り替えに関する切替情報を記憶手段に記憶させるために、当該記憶手段のレジスタにアクセスするアクセス手段と、記憶手段に記憶された切替情報に基づいて、当該指定された一の外部装置から出力データが入力されるよう出力装置の外部入力の経路切替を行う切替手段と、アクセスが開始されてから経路切替が完了するまでの間、出力手段による出力データの出力を禁止させるために、出力制御手段にミュート信号を入力する入力手段と、ユーザが、記憶手段のレジスタのうちのアクセス手段がアクセスするレジスタを選択するための選択手段と、を備え、アクセス手段は、当該選択されたレジスタのみにアクセスするようになっている。
すなわち、記憶手段に切替情報を記憶させる際、ユーザにより選択されたレジスタ以外のレジスタにはアクセスされないため、外部入力の経路切替の処理時には、ユーザにより選択されたレジスタに関係する処理のみが行われることになる。したがって、外部入力の経路切替の処理が一律である場合には、記憶手段の全てのレジスタに関係する処理が行われるが、それと比較して、ミュート期間をより短くすることができるため、ミュート処理時のユーザの不安感や煩わしさを緩和することができる。
【発明を実施するための最良の形態】
【００１１】
以下、図を参照して、本発明にかかる出力装置の最良の形態を詳細に説明する。なお、発明の範囲は、図示例に限定されない。
【００１２】
出力装置１は、例えば、液晶テレビやプラズマテレビなどに組み込まれた映像（画像）音声出力装置であり、例えば、図１に示すように、複数の外部装置３…を接続し、複数の外部装置３…のうちの一の外部装置３から入力される映像データ及び／又は音声データからなる出力データを出力する。
【００１３】
出力装置１は、外部装置３として、例えば、アナログ放送信号を受信して当該アナログ放送信号に基づく出力データを出力装置１に入力するアナログ放送用チューナ装置３１と、デジタル放送信号を受信して当該デジタル放送信号に基づく出力データを出力装置１に入力するデジタル放送用チューナ装置３２と、ＤＶＤ（Digital Versatile Disc）に記録された出力データを再生して出力装置１に入力するＤＶＤプレイヤ３３と、などを接続している。
【００１４】
なお、外部装置３は、アナログ放送用チューナ装置３１と、デジタル放送用チューナ装置３２と、ＤＶＤプレイヤ３３と、の限りではなく、出力装置１に出力データを入力できる好適なＡＶ機器であれば任意であり、例えば、ビデオレコーダ、ＰＶＲ（Personal Video Recorder）、ＳＴＢ（Set Top Box）、ＣＤ（Compact Disc）プレイヤ、オーディオ装置などであってもよい。
また、出力装置１に接続される複数の外部装置３…の個数は、アナログ放送用チューナ装置３１と、デジタル放送用チューナ装置３２と、ＤＶＤプレイヤ３３と、の３つの限りではなく、アナログ放送用チューナ装置３１と、デジタル放送用チューナ装置３２と、のうちの少なくとも何れかを含み、且つ、複数であれば、任意である。
【００１５】
出力装置１は、例えば、図１に示すように、ＡＶスイッチ１１と、出力制御部１２と、出力部１３と、操作部１４と、制御部１５と、などを備えて構成される。
【００１６】
ＡＶスイッチ１１は、例えば、複数の外部装置３…のうちの一の外部装置３から入力される出力データを、出力制御部１２に出力する。
具体的には、ＡＶスイッチ１１は、例えば、図１に示すように、選択記憶部１１１と、切替部１１２と、などを備えて構成される。
【００１７】
選択記憶部１１１は、例えば、図１に示すように、複数のレジスタ１１１ａ…を有している。選択記憶部１１１は、制御部１５から入力される制御信号に従って、例えば、記憶手段として、ユーザによる操作部１４の操作により指定された一の外部装置３への切り替えに関する切替情報を記憶する。
【００１８】
切替部１１２は、例えば、切替手段として、選択記憶部１１１に記憶された切替情報に基づいて、複数の外部装置３…のうちのユーザによる操作部１４の操作により指定された一の外部装置３から出力データが入力されるよう出力装置１の外部入力の経路切替を行い、そして、その切り替え先の経路から入力される出力データを出力制御部１２に出力する。
ここで、切替部１１２は、例えば、選択記憶部１１１による切替情報の記憶が完了すると略同時に、出力装置１の外部入力の経路切替を行うようになっている。
【００１９】
出力制御部１２は、制御部１５から入力される制御信号に従って、例えば、出力制御手段として、切替部１１２から入力される一の外部装置３からの出力データを出力部１３に出力させる。
具体的には、出力制御部１２は、例えば、切替部１１３から入力される出力データに所定の処理を施して、当該出力データから、映像データと、音声データと、などを分離し、当該映像データをデコードして出力部１３の映像出力部１３１に出力するとともに、当該音声データをデコードして出力部１３の音声出力部１３２に出力する。
【００２０】
また、出力制御部１２は、例えば、入力プログラム１５３ｂを実行したＣＰＵ１５１によりミュート信号が入力されている間、当該ミュート信号に基づいて所定のミュート処理を行って、出力部１３による出力データの出力を禁止させる。
具体的には、出力制御部１２は、例えば、ミュート信号が入力されている間、切替部１１２から入力される出力データを、出力部１３に出力しないようになっている。
【００２１】
出力部１３は、例えば、出力手段として、切替部１１２から入力される一の外部装置３からの出力データを出力する。
具体的には、出力部１３は、例えば、図１に示すように、映像出力部１３１と、音声出力部１３２と、などを備えて構成される。
【００２２】
映像出力部１３１は、例えば、液晶表示機器等であり、例えば、出力制御部１２から入力される映像データに基づく映像を出力（表示）する。
【００２３】
音声出力部１３２は、例えば、スピーカ機器等であり、例えば、出力制御部１２から入力される音声データに基づく音声を出力する。
【００２４】
操作部１４は、例えば、出力装置１の外面に設けられた操作ボタン（図示省略）や、出力装置１用のリモートコントローラ（図示省略）及び当該リモートコントローラと通信可能なリモコン受信部（図示省略）などから構成されており、例えば、ユーザにより操作されると、当該操作に伴う各種信号を制御部１５に出力する。
【００２５】
具体的には、操作部１４は、例えば、指定手段として、ユーザが、複数の外部装置３…のうちの一の外部装置３を指定する際に操作される。
【００２６】
また、操作部１４は、例えば、選択手段として、ユーザが、選択記憶部１１１のレジスタ１１１ａ…のうちのアクセスプログラム１５３ａを実行したＣＰＵ１５１がアクセスするレジスタ１１１ａ…を選択する際に操作される。
具体的には、映像出力部１３１に、例えば、図２に示すような「レジスタ設定画面」がオンスクリーンディスプレイ（ＯＳＤ）表示されるようになっており、ユーザは、例えば、出力装置１の初期設定が終了した後などに、この「レジスタ設定画面」において、選択記憶部１１１に切替情報を記憶させる際にアクセスするレジスタ１１１ａ…を選択するようになっている。
【００２７】
ここで、選択記憶部１１１が有する複数のレジスタ１１１ａ…には、例えば、出力装置１の外部入力の経路切替に関係するレジスタ１１１ａ…と、出力装置１の外部入力の経路切替に関係しないレジスタ１１１ａ…と、が含まれる。
出力装置１の外部入力の経路切替に関係しないレジスタ１１１ａ…は、例えば、出力装置１の初期設定のみに関係するレジスタ１１１ａなどであり、具体的には、例えば、アンプの設定に関係するレジスタ１１１ａなどである。
したがって、ユーザは、例えば、ＣＰＵ１５１が、選択記憶部１１１に切替情報を記憶させる際に、複数のレジスタ１１１ａ…のうちの、出力装置１の外部入力の経路切替に関係するレジスタ１１１ａ…のみにアクセスするよう、アクセスするレジスタ１１１ａを選択できるようになっている。
【００２８】
図２の「レジスタ設定画面」は、例えば、ＣＰＵ１５１がアクセス可能なレジスタ１１１ａがアドレス（ＡＤ１）〜アドレス８（ＡＤ８）のレジスタ１１１ａである場合の画面である。図２の「レジスタ設定画面」においては、例えば、アクセスするレジスタ１１１ａに「１」を設定し、アクセスしないレジスタ１１１ａに「０」を設定することによって、アクセスするレジスタ１１１ａを選択するようになっている。
すなわち、図２の「レジスタ設定画面」によれば、アクセスするレジスタ１１１ａとして、「ＡＤ１」のレジスタ１１１ａと、「ＡＤ３」のレジスタ１１１ａと、「ＡＤ５」のレジスタ１１１ａと、が選択されている。
【００２９】
制御部１５は、例えば、図１に示すように、ＣＰＵ（Central Processing Unit）１５１と、ＲＡＭ（Random Access Memory）１５２と、記憶部１５３と、などを備えて構成される。
【００３０】
ＣＰＵ１５１は、例えば、記憶部１５３に記憶された出力装置１用の各種処理プログラムに従って各種の制御動作を行う。
【００３１】
ＲＡＭ１５２は、例えば、ＣＰＵ１５１によって実行される処理プログラムなどを展開するためのプログラム格納領域や、入力データや上記処理プログラムが実行される際に生じる処理結果などを格納するデータ格納領域などを備える。
【００３２】
記憶部１５３は、例えば、出力装置１で実行可能なシステムプログラム、当該システムプログラムで実行可能な各種処理プログラム、これら各種処理プログラムを実行する際に使用されるデータ、ＣＰＵ１５１によって演算処理された処理結果のデータなどを記憶する。なお、プログラムは、コンピュータが読み取り可能なプログラムコードの形で記憶部１５３に記憶されている。
【００３３】
具体的には、記憶部１５３は、例えば、図１に示すように、アクセスプログラム１５３ａと、入力プログラム１５３ｂと、などを記憶している。
【００３４】
アクセスプログラム１５３ａは、例えば、ユーザによる操作部１４の操作により指定された一の外部装置３への切り替えに関する切替情報を選択記憶部１１１に記憶させるために、選択記憶部１１１のレジスタ１１１ａにアクセスする機能を、ＣＰＵ１５１に実現させる。
【００３５】
ここで、ＣＰＵ１５１は、ユーザによる操作部１４の操作によりアクセスするレジスタ１１１ａが選択された場合には、例えば、オートインクリメント処理により、当該選択されたレジスタ１１１ａのみにアクセスすることによって、切替情報を選択記憶部１１１に記憶させるようになっている。
具体的には、ＣＰＵ１５１は、例えば、選択されたレジスタ１１１ａ…に対するデータのみを含むコマンドを作成して、選択記憶部１１１に送信することによって、選択されたレジスタ１１１ａにアクセスするようになっている。
【００３６】
ＣＰＵ１５１がアクセス可能なレジスタ１１１ａがアドレス（ＡＤ１）〜アドレス８（ＡＤ８）のレジスタ１１１ａである場合、ＣＰＵ１５１は、例えば、図３の上側に示すコマンドを選択記憶部１１１に送信可能である。
そして、アクセスするレジスタ１１１ａとして、「ＡＤ１」のレジスタ１１１ａと、「ＡＤ３」のレジスタ１１１ａと、「ＡＤ５」のレジスタ１１１ａと、が選択された場合には、ＣＰＵ１５１は、例えば、図３の下側に示すコマンドを選択記憶部１１１に送信する。
【００３７】
図３に示すコマンドは、具体的には、例えば、Ｉ２Ｃ（Inter-Integrated Circuit）通信で使用されるコマンドである。
コマンド中の「ＳＴＡ」は、スタートコンディションであり、スレーブに通信シーケンスの始まりを知らせるためのものである。
「ＳＬＶ」は、スレーブアドレスであり、コマンド送信先のスレーブ（ここでは選択記憶部１１１）のアドレスである。
「ＡＤ１」〜「ＡＤ８」は、それぞれ「ＡＤ１」〜「ＡＤ８」のレジスタ１１１ａに対するデータである。
「ＳＴＰ」は、ストップコンディションであり、スレーブに通信シーケンスの終わりを知らせるためのものである。
なお、ＣＰＵ１５１から選択記憶部１１１に送信されるコマンドは、Ｉ２Ｃ通信で使用されるコマンドに限ることはなく、選択記憶部１１１に切替情報を記憶させることができるコマンドであれば任意である。
【００３８】
ここで、従来、ＣＰＵ１５１が、オートインクリメント処理により、レジスタ１１１ａにアクセスする場合は、図３の上側に示すコマンド（“「ＳＴＡ」−「ＳＬＶ」−「ＡＤ１」−「ＡＤ２」−「ＡＤ３」−「ＡＤ４」−「ＡＤ５」−「ＡＤ６」−「ＡＤ７」−「ＡＤ８」−「ＳＴＰ」”）のように、アクセス可能な全てのレジスタ１１１ａに対するデータを含むコマンドを送信してアクセスするしかなかった。一方、ＣＰＵ１５１が必要なレジスタ１１１ａ（例えば、「ＡＤ１」のレジスタ１１１ａと、「ＡＤ３」のレジスタ１１１ａと、「ＡＤ５」のレジスタ１１１）のみにアクセスする場合は、「ＡＤ１」のレジスタ１１１ａに対するデータのみを含むコマンド（“「ＳＴＡ」−「ＳＬＶ」−「ＡＤ１」−「ＳＴＰ」”）と、「ＡＤ３」のレジスタ１１１ａに対するデータのみを含むコマンド（“「ＳＴＡ」−「ＳＬＶ」−「ＡＤ３」−「ＳＴＰ」”）と、「ＡＤ５」のレジスタに対するデータのみを含むコマンド（“「ＳＴＡ」−「ＳＬＶ」−「ＡＤ５」−「ＳＴＰ」”）と、をそれぞれ別個に送信してアクセスするしかなかった。
しかしながら、本発明では、ＣＰＵ１５１は、オートインクリメント処理により、必要なレジスタ１１１ａのみにアクセスすることができるよう、図３の下側に示すコマンド（“「ＳＴＡ」−「ＳＬＶ」−「ＡＤ１」−「ＡＤ３」−「ＡＤ５」−「ＳＴＰ」”）を作成して送信するため、従来と比較して、効率のよいコマンドを作成して、効率よくレジスタ１１１ａにアクセスすることができるようになっている。
ＣＰＵ１５１は、かかるアクセスプログラム１５３ａを実行することによって、アクセス手段として機能する。
【００３９】
入力プログラム１５３ｂは、例えば、アクセスプログラム１５３ａを実行したＣＰＵ１５１によるアクセスが開始されてから切替部１１２による経路切替が完了するまでの間、出力部１３による出力データの出力を禁止させるために、出力制御部１２にミュート信号を入力する機能を、ＣＰＵ１５１に実現させる。
【００４０】
具体的には、ＣＰＵ１５１は、例えば、アクセスプログラム１５３ａを実行したＣＰＵ１５１が、選択記憶部１１２に対するコマンドの送信を開始してから、切替部１１２が、出力装置１の外部入力の経路切替を完了するまでの間、出力制御部１２にミュート信号を入力する。
したがって、例えば、図３の上側に示すアクセス可能な全てのレジスタ１１１ａに対するデータを含むコマンドが送信された場合は、アクセスプログラム１５３ａを実行したＣＰＵ１５１がコマンドの送信を開始してから、ＡＤ１〜ＡＤ８のレジスタ１１１ａに関係する処理が行われて、出力装置１の外部入力の経路切替が完了するまでの間、ミュート処理が行われる。
一方、例えば、図３の下側に示す選択されたレジスタ１１１ａに対するデータのみを含むコマンドが送信された場合は、アクセスプログラム１５３ａを実行したＣＰＵ１５１がコマンドの送信を開始してから、ＡＤ１、ＡＤ３及びＡＤ５のレジスタ１１１ａに関係する処理が行われて、出力装置１の外部入力の経路切替が完了するまでの間、ミュート処理が行われる。したがって、図３の下側に示すコマンドが送信された場合は、図３の上側に示すコマンドが送信された場合と比較して、ＡＤ１、ＡＤ３及びＡＤ５のレジスタ１１１ａ以外のレジスタ１１１ａ（ＡＤ２、ＡＤ４、ＡＤ６、ＡＤ７及びＡＤ８のレジスタ１１１ａ）に関係する処理が行われない分、ミュート期間が短くなる。
ＣＰＵ１５１は、かかる入力プログラム１５３ｂを実行することによって、入力手段として機能する。
【００４１】
以上説明した本発明の出力装置１によれば、出力制御部１２によって、出力データを出力部１３に出力させることができ、操作部１４によって、ユーザは一の外部装置３を指定することができ、アクセスプログラム１５３ａを実行したＣＰＵ１５１によって、ユーザにより指定された一の外部装置３への切り替えに関する切替情報を選択記憶部１１１に記憶させるために、選択記憶部１１１のレジスタ１１１ａにアクセスすることができ、切替部１１２によって、選択記憶部１１１に記憶された切替情報に基づいて、ユーザにより指定された一の外部装置３から出力データが入力されるよう出力装置１の外部入力の経路切替を行うことができ、入力プログラム１５３ｂを実行したＣＰＵ１５１によって、アクセスが開始されてから経路切替が完了するまでの間、出力部１３による出力データの出力を禁止させるために、出力制御部１２にミュート信号を入力することができ、操作部１４によって、ユーザは選択記憶部１１１のレジスタ１１１ａのうちのＣＰＵ１５１がアクセスするレジスタ１１１ａを選択することができる。そして、アクセスプログラム１５３ａを実行したＣＰＵ１５１は、ユーザにより選択されたレジスタ１１１ａのみにアクセスするようになっている。
すなわち、選択記憶部１１１に切替情報を記憶させる際、ユーザにより選択されたレジスタ１１１ａ以外のレジスタ１１１ａにはアクセスされないため、外部入力の経路切替の処理時には、ユーザにより選択されたレジスタ１１１ａに関係する処理のみが行われることになる。したがって、外部入力の経路切替の処理が一律である場合には、選択記憶部１１１の全てのレジスタ１１１ａ（ＣＰＵ１５１がアクセス可能な全てのレジスタ１１１ａ）に関係する処理が行われるが、それと比較して、ミュート期間をより短くすることができるため、ミュート処理時のユーザの不安感や煩わしさを緩和することができる。
【００４２】
また、出力装置１によれば、アクセスプログラム１５３ａを実行したＣＰＵ１５１は、アクセスするレジスタ１１１ａが選択された場合でも、オートインクリメント処理により、レジスタ１１１ａにアクセスするようになっている。
したがって、選択されたレジスタ１１１ａに対するデータのみを含む効率のよいコマンド（例えば、図３の下側に示すコマンド）を作成して、効率よくレジスタ１１１ａにアクセスすることができる。
【００４３】
なお、本発明は、上記した実施の形態のものに限るものではなく、その要旨を逸脱しない範囲で適宜変更可能である。
【００４４】
出力装置１は、例えば、アナログ放送用チューナ装置３１及び／又はデジタル放送用チューナ装置３２と一体となった、テレビジョン受信機であってもよい。この場合、外部装置３としては、例えば、ＤＶＤプレイヤ３３のような、所定の記録媒体に記録された出力データを再生する再生装置などが挙げられる。
【００４５】
アクセスするレジスタ１１１ａをＯＳＤ表示された「レジスタ設定画面」において選択するようにしたが、アクセスするレジスタ１１１ａの選択の仕方は任意である。
また、アクセスするレジスタ１１１ａを、ユーザが選択するようにしたが、自動的に選択するようにしてもよい。具体的には、例えば、出力装置１の外部入力の経路切替に関係するレジスタ１１１ａ…と、出力装置１の外部入力の経路切替に関係しないレジスタ１１１ａ…と、をＣＰＵ１５１が判別可能となるよう構成しておき、出力装置１の初期設定が終了した後などに、ＣＰＵ１５１が出力装置１の外部入力の経路切替に関係するレジスタ１１１ａ…をアクセスするレジスタ１１１ａとして選択するようにしてもよい。
【図面の簡単な説明】
【００４６】
【図１】本発明にかかる出力装置の機能的構成を示す図である。
【図２】映像出力部に表示された「レジスタ設定画面」を示す図である。
【図３】ＣＰＵから選択記憶部に送信されるコマンドについて説明するための図である。
【符号の説明】
【００４７】
１  出力装置
１２  出力制御部（出力制御手段）
１３  出力部（出力手段）
１４  操作部（指定手段、選択手段）
１１１  選択記憶部（記憶手段）
１１１ａ  レジスタ
１１２  切替部（切替手段）
１５１  ＣＰＵ（アクセス手段、入力手段）
１５３ａ  アクセスプログラム（アクセス手段）
１５３ｂ  入力プログラム（入力手段）
３  外部装置
３１  アナログ放送用チューナ装置
３２  デジタル放送用チューナ装置
【図１】
2008311837.tif 000003
【図２】
2008311837.tif 000004
【図３】
2008311837.tif 000005